【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
遊技の主な制御を行う主制御手段と、その主制御手段から送信されるコマンドに基づいて動作する副制御手段と、その副制御手段による制御に基づいて画像を表示する画像表示手段とを備えた遊技機であって、
前記副制御手段は、
前記画像表示手段に表示させる１画面分の画像を描画する画像描画手段と、
その画像描画手段による画像の描画に用いられる複数の画像情報を記憶する第１画像記憶手段と、
その第１画像記憶手段よりも高速に読み出し動作が可能であり、その第１画像記憶手段に記憶された画像情報を記憶し、その記憶する画像情報を書換可能な第２画像記憶手段と、
複数の表示態様の中から前記主制御手段より受信したコマンドに対して表示する表示種別を特定する第１表示特定手段と、
複数の前記表示種別毎に設けられ、その表示種別において表示すべき画像の描画に必要な情報を示す１画面毎の描画情報と、その表示種別の画像の描画に必要な画像情報のうち前記第２画像記憶手段へ転送すべき画像情報の転送開始タイミングとを示した第１規定情報を記憶する第１規定情報記憶手段と、
前記第１表示特定手段により特定された前記表示種別に対応する前記第１規定情報を前記第１規定情報記憶手段より選定する第１選定手段と、
前記画像描画手段が１画面分の画像を描画する期間が経過する毎に第１の情報を更新する第１更新手段と、
前記第１表示特定手段により特定された表示種別の画像に対して少なくとも一部の画像の色調を変更して表示する第２表示種別を特定する第２表示特定手段と、
複数の前記第２表示種別毎に設けられ、その第２表示種別において、前記表示種別に対応する前記第１規定情報により規定された色調から変更して表示すべき画像の描画に必要な情報を示す１画面毎の描画情報を示した第２規定情報を記憶する第２規定情報記憶手段と、
前記第２表示特定手段により特定された前記第２表示種別に対応する前記第２規定情報を前記第２規定情報記憶手段より選定する第２選定手段と、
前記第１更新手段の更新と合わせて第２の情報を更新する第２更新手段と、
前記第１更新手段が更新される毎に、前記第１選定手段により選定された前記第１規定情報に基づいて、その更新された第１の情報に対応する１画面分の描画情報を特定する手段と、前記第２選定手段により選定された前記第２規定情報に基づいて、更新された第２の情報に対応する１画面分の、前記第１規定情報により規定された色調から変更して表示すべき画像の描画情報を特定する手段と、を備え、１画面分の画像全体に必要な描画情報を特定する描画情報特定手段と、
その描画情報特定手段により特定された前記１画面分の描画情報に基づいて、前記画像描画手段に対して１画面分の画像の描画を指示する描画指示情報を生成する描画指示情報生成手段と、を備え、
前記第１規定情報において１画面毎に規定された前記描画情報は、その１画面分の画像の描画に必要な画像情報を特定するための特定情報を含み、
前記描画指示情報生成手段は、前記描画情報特定手段により特定された前記１画面分の描画情報に基づいて、その描画情報に含まれる前記特定情報よりその１画面分の画像の描画に必要な画像情報を指示する画像指示情報を含む描画指示情報を生成し、
前記画像描画手段は、その描画指示情報生成手段により生成された前記描画指示情報に基づき、前記第２画像記憶手段に記憶された画像情報のうち、前記描画指示情報に含まれる前記画像指示情報によって指示された画像情報を用いて、１画面分の画像を描画し、
前記副制御手段は、
前記描画指示情報に含まれる前記画像指示情報に従って一の画像情報を前記画像描画手段による画像の描画で用いる場合は、その画像情報が用いられる前に、前記第１画像記憶手段から前記第２画像記憶手段へその一の画像情報の転送を制御する第１転送制御手段と、
遊技者が第１の期間に所定の操作手段を操作することに基づいて、前記描画指示情報生成手段を用いて所定の表示種別の画像に対して少なくとも一部の画像の色調を変更した画像を表示する手段と、
遊技者が第２の期間に所定の操作手段を操作することに基づいて、前記主制御手段より受信したコマンドに対して表示する表示種別において所定の表示結果が表示される期待度を示す期待度表示画像を表示する手段と、を備えるものであり、
前記色調は、前記所定の表示種別の画像を表示する場合に使用される第１の色調の他に、その第１の色調とは異なる第２の色調と、前記第１の色調及び第２の色調とは異なる第３の色調と、を少なくとも備えたことを特徴とする遊技機。
【請求項２】
前記主制御手段を収納する収納ボックスを備えたことを特徴とする請求項１記載の遊技機。
【手続補正２】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や当たり演出を、液晶画面上に表示するパチンコ機が知られている。かかる演出では、遊技者に期待感を持たせるための演出や、遊技者の遊技への参加意欲を高めるための演出など、様々なパターンの演出が実行され、遊技の興趣向上が図られている。
【手続補正３】
【補正対象書類名】明細書
【補正対象項目名】０００３
【補正方法】削除
【補正の内容】
【手続補正４】
【補正対象書類名】明細書
【補正対象項目名】０００７
【補正方法】変更
【補正の内容】
【０００７】
この目的を達成するために、請求項１記載の遊技機は、遊技の主な制御を行う主制御手段と、その主制御手段から送信されるコマンドに基づいて動作する副制御手段と、その副制御手段による制御に基づいて画像を表示する画像表示手段とを備え、前記副制御手段は、前記画像表示手段に表示させる１画面分の画像を描画する画像描画手段と、その画像描画手段による画像の描画に用いられる複数の画像情報を記憶する第１画像記憶手段と、その第１画像記憶手段よりも高速に読み出し動作が可能であり、その第１画像記憶手段に記憶された画像情報を記憶し、その記憶する画像情報を書換可能な第２画像記憶手段と、複数の表示態様の中から前記主制御手段より受信したコマンドに対して表示する表示種別を特定する第１表示特定手段と、複数の前記表示種別毎に設けられ、その表示種別において表示すべき画像の描画に必要な情報を示す１画面毎の描画情報と、その表示種別の画像の描画に必要な画像情報のうち前記第２画像記憶手段へ転送すべき画像情報の転送開始タイミングとを示した第１規定情報を記憶する第１規定情報記憶手段と、前記第１表示特定手段により特定された前記表示種別に対応する前記第１規定情報を前記第１規定情報記憶手段より選定する第１選定手段と、前記画像描画手段が１画面分の画像を描画する期間が経過する毎に第１の情報を更新する第１更新手段と、前記第１表示特定手段により特定された表示種別の画像に対して少なくとも一部の画像の色調を変更して表示する第２表示種別を特定する第２表示特定手段と、複数の前記第２表示種別毎に設けられ、その第２表示種別において、前記表示種別に対応する前記第１規定情報により規定された色調から変更して表示すべき画像の描画に必要な情報を示す１画面毎の描画情報を示した第２規定情報を記憶する第２規定情報記憶手段と、前記第２表示特定手段により特定された前記第２表示種別に対応する前記第２規定情報を前記第２規定情報記憶手段より選定する第２選定手段と、前記第１更新手段の更新と合わせて第２の情報を更新する第２更新手段と、前記第１更新手段が更新される毎に、前記第１選定手段により選定された前記第１規定情報に基づいて、その更新された第１の情報に対応する１画面分の描画情報を特定する手段と、前記第２選定手段により選定された前記第２規定情報に基づいて、更新された第２の情報に対応する１画面分の、前記第１規定情報により規定された色調から変更して表示すべき画像の描画情報を特定する手段と、を備え、１画面分の画像全体に必要な描画情報を特定する描画情報特定手段と、その描画情報特定手段により特定された前記１画面分の描画情報に基づいて、前記画像描画手段に対して１画面分の画像の描画を指示する描画指示情報を生成する描画指示情報生成手段と、を備え、前記第１規定情報において１画面毎に規定された前記描画情報は、その１画面分の画像の描画に必要な画像情報を特定するための特定情報を含み、前記描画指示情報生成手段は、前記描画情報特定手段により特定された前記１画面分の描画情報に基づいて、その描画情報に含まれる前記特定情報よりその１画面分の画像の描画に必要な画像情報を指示する画像指示情報を含む描画指示情報を生成し、前記画像描画手段は、その描画指示情報生成手段により生成された前記描画指示情報に基づき、前記第２画像記憶手段に記憶された画像情報のうち、前記描画指示情報に含まれる前記画像指示情報によって指示された画像情報を用いて、１画面分の画像を描画し、前記副制御手段は、前記描画指示情報に含まれる前記画像指示情報に従って一の画像情報を前記画像描画手段による画像の描画で用いる場合は、その画像情報が用いられる前に、前記第１画像記憶手段から前記第２画像記憶手段へその一の画像情報の転送を制御する第１転送制御手段と、遊技者が第１の期間に所定の操作手段を操作することに基づいて、前記描画指示情報生成手段を用いて所定の表示種別の画像に対して少なくとも一部の画像の色調を変更した画像を表示する手段と、遊技者が第２の期間に所定の操作手段を操作することに基づいて、前記主制御手段より受信したコマンドに対して表示する表示種別において所定の表示結果が表示される期待度を示す期待度表示画像を表示する手段と、を備えるものであり、前記色調は、前記所定の表示種別の画像を表示する場合に使用される第１の色調の他に、その第１の色調とは異なる第２の色調と、前記第１の色調及び第２の色調とは異なる第３の色調と、を少なくとも備えている。
【手続補正５】
【補正対象書類名】明細書
【補正対象項目名】０００８
【補正方法】変更
【補正の内容】
【０００８】
請求項２記載の遊技機は、請求項１記載の遊技機において、前記主制御手段を収納する収納ボックスを備えているものである。
【手続補正６】
【補正対象書類名】明細書
【補正対象項目名】０００９
【補正方法】変更
【補正の内容】
【０００９】
請求項１記載の遊技機によれば、遊技の主な制御を行う主制御手段と、その主制御手段から送信されるコマンドに基づいて動作する副制御手段と、その副制御手段による制御に基づいて画像を表示する画像表示手段とを備え、前記副制御手段は、前記画像表示手段に表示させる１画面分の画像を描画する画像描画手段と、その画像描画手段による画像の描画に用いられる複数の画像情報を記憶する第１画像記憶手段と、その第１画像記憶手段よりも高速に読み出し動作が可能であり、その第１画像記憶手段に記憶された画像情報を記憶し、その記憶する画像情報を書換可能な第２画像記憶手段と、複数の表示態様の中から前記主制御手段より受信したコマンドに対して表示する表示種別を特定する第１表示特定手段と、複数の前記表示種別毎に設けられ、その表示種別において表示すべき画像の描画に必要な情報を示す１画面毎の描画情報と、その表示種別の画像の描画に必要な画像情報のうち前記第２画像記憶手段へ転送すべき画像情報の転送開始タイミングとを示した第１規定情報を記憶する第１規定情報記憶手段と、前記第１表示特定手段により特定された前記表示種別に対応する前記第１規定情報を前記第１規定情報記憶手段より選定する第１選定手段と、前記画像描画手段が１画面分の画像を描画する期間が経過する毎に第１の情報を更新する第１更新手段と、前記第１表示特定手段により特定された表示種別の画像に対して少なくとも一部の画像の色調を変更して表示する第２表示種別を特定する第２表示特定手段と、複数の前記第２表示種別毎に設けられ、その第２表示種別において、前記表示種別に対応する前記第１規定情報により規定された色調から変更して表示すべき画像の描画に必要な情報を示す１画面毎の描画情報を示した第２規定情報を記憶する第２規定情報記憶手段と、前記第２表示特定手段により特定された前記第２表示種別に対応する前記第２規定情報を前記第２規定情報記憶手段より選定する第２選定手段と、前記第１更新手段の更新と合わせて第２の情報を更新する第２更新手段と、前記第１更新手段が更新される毎に、前記第１選定手段により選定された前記第１規定情報に基づいて、その更新された第１の情報に対応する１画面分の描画情報を特定する手段と、前記第２選定手段により選定された前記第２規定情報に基づいて、更新された第２の情報に対応する１画面分の、前記第１規定情報により規定された色調から変更して表示すべき画像の描画情報を特定する手段と、を備え、１画面分の画像全体に必要な描画情報を特定する描画情報特定手段と、その描画情報特定手段により特定された前記１画面分の描画情報に基づいて、前記画像描画手段に対して１画面分の画像の描画を指示する描画指示情報を生成する描画指示情報生成手段と、を備え、前記第１規定情報において１画面毎に規定された前記描画情報は、その１画面分の画像の描画に必要な画像情報を特定するための特定情報を含み、前記描画指示情報生成手段は、前記描画情報特定手段により特定された前記１画面分の描画情報に基づいて、その描画情報に含まれる前記特定情報よりその１画面分の画像の描画に必要な画像情報を指示する画像指示情報を含む描画指示情報を生成し、前記画像描画手段は、その描画指示情報生成手段により生成された前記描画指示情報に基づき、前記第２画像記憶手段に記憶された画像情報のうち、前記描画指示情報に含まれる前記画像指示情報によって指示された画像情報を用いて、１画面分の画像を描画し、前記副制御手段は、前記描画指示情報に含まれる前記画像指示情報に従って一の画像情報を前記画像描画手段による画像の描画で用いる場合は、その画像情報が用いられる前に、前記第１画像記憶手段から前記第２画像記憶手段へその一の画像情報の転送を制御する第１転送制御手段と、遊技者が第１の期間に所定の操作手段を操作することに基づいて、前記描画指示情報生成手段を用いて所定の表示種別の画像に対して少なくとも一部の画像の色調を変更した画像を表示する手段と、遊技者が第２の期間に所定の操作手段を操作することに基づいて、前記主制御手段より受信したコマンドに対して表示する表示種別において所定の表示結果が表示される期待度を示す期待度表示画像を表示する手段と、を備えるものであり、前記色調は、前記所定の表示種別の画像を表示する場合に使用される第１の色調の他に、その第１の色調とは異なる第２の色調と、前記第１の色調及び第２の色調とは異なる第３の色調と、を少なくとも備えている。よって、遊技の興趣を向上できるという効果がある。
請求項２記載の遊技機によれば、請求項１記載の遊技機の奏する効果に加え、前記主制御手段を収納することができるという効果がある。
【手続補正７】
【補正対象書類名】明細書
【補正対象項目名】０９６２
【補正方法】変更
【補正の内容】
【０９６２】
１０                  パチンコ機（遊技機）
８１                  第３図柄表示装置（画像表示手段の一例）
１１０                主制御装置（主制御手段の一例）
１１４                表示制御装置（副制御手段の一例）
２３３ｂ              データテーブル格納エリア（第１規定情報記憶手段，第２規定情報記憶手段の一例）
２３３ｆ              ポインタ（第１更新手段，第２更新手段の一例）
２３４                キャラクタＲＯＭ（第１画像記憶手段の一例）
２３６                通常用ビデオＲＡＭ（第２画像記憶手段の一例）
２３７                画像コントローラ（画像描画手段の一例）